(57)【要約】【課題】ポンプとゲートを別工場で製作した場合でも、工場組合せ試験を省略でき輸送・検査コストを低減でき、且つ設置後にポンプが故障し、該ポンプを工場持帰り補修する場合でも、ゲート内に逆流防止弁を残しておく構造とすることで、ポンプを取り外してもゲート機能を維持することができるポンプゲート設備を提供すること。【解決手段】水路１を開閉するゲート２にポンプ４及び逆流防止弁５を設け、該ゲート２で閉じた一方の水路１の水をポンプ４で汲み上げ逆流防止弁を通して他方の水路に排水するように構成されたポンプゲート設備において、ゲート２の止水板であるスキンプレートに台板１０を設け、該台板１０を介してポンプ４と逆流防止弁５を組合わせた。また、台板１０にポンプ４及び逆流防止弁５をそれぞれ異なった取り合い位置に個別に脱着自在に取付けた。【選択図】図１
2006002521.tif 000002
【特許請求の範囲】
【請求項１】
水路を開閉するゲートにポンプ及び逆流防止弁を設け、該ゲートで閉じた一方の水路の水を前記ポンプで汲み上げ前記逆流防止弁を通して他方の水路に排水するように構成されたポンプゲート設備において、
前記ゲートの止水板に台板を設け、該台板を介して前記ポンプと前記逆流防止弁を組合わせたことを特徴とするポンプゲート設備。
【請求項２】
水路を開閉するゲートにポンプ及び逆流防止弁を設け、該ゲートで閉じた一方の水路の水を前記ポンプで汲み上げ前記逆流防止弁を通して他方の水路に排水するように構成されたポンプゲート設備において、
前記ゲートの止水板に台板を設け、該台板に前記ポンプ及び逆流防止弁をそれぞれ異なった取り合い位置に個別に脱着自在に取付けたことを特徴とするポンプゲート設備。
【発明の詳細な説明】
【技術分野】
【０００１】
本発明は、水路を開閉すると共に閉じた一方の水路の水をポンプで汲み揚げ逆流防止弁を介して他方の水路に排出するポンプゲートに関するものである。
【背景技術】
【０００２】
従来、例えば河川（本流）に支流が流れ込む場所には、支流側に水路を開閉するゲートが設置されている。そして大雨等によって河川が増水したとき、前記ゲートを閉じることで、河川の水が支流に逆流するのを防止する。一方ゲートを閉じたときに支流の上流から流れてくる水は、ポンプによって河川側に強制的に排水している。そしてこの種のゲートの中には、省スペース化のため、ゲート自体に前記排水用のポンプを取付けた構造のポンプゲート設備があり、採用されている。
【０００３】
【特許文献１】特開２００１−８２６２０号公報
【発明の開示】
【発明が解決しようとする課題】
【０００４】
しかしながら、上記構造のポンプゲート設備において、ポンプとゲートが別メーカ又は別製作工場にて製作される場合が多く、その場合、個別の工場から出荷しても据付場所にて組合わせる際に、組合せ用接続ボルト穴位置等が合わず、組合せができないという不都合を防ぐため、予めポンプ又はゲートをお互いの工場に出荷し、組合せ試験を事前に行なわなければならない。そのため輸送、検査の労力及び費用が通常の排水ポンプ設備より余計に発生する場合が多かった。
【０００５】
また、従来はポンプの吐出口に逆流防止弁を設置したポンプと、ゲートを組合せている場合が多く、その場合、ポンプが故障して工場持帰り補修が必要になった場合、ゲート側のポンプを外した部分に穴が空くため、ゲートとしての機能を維持するためにその部分を塞ぐ仮設板等が必要であった。
【０００６】
本発明は上述の点に鑑みてなされたもので、ポンプとゲートを別工場で製作した場合でも、工場組合せ試験を省略でき輸送・検査コストを低減でき、且つ設置後にポンプが故障し、該ポンプを工場持帰り補修する場合でも、ゲート内に逆流防止弁を残しておく構造とすることで、ポンプを取り外してもゲート機能を維持することができるポンプゲート設備を提供することを目的とする。
【課題を解決するための手段】
【０００７】
上記課題を解決するため請求項１に記載の発明は、水路を開閉するゲートにポンプ及び逆流防止弁を設け、該ゲートで閉じた一方の水路の水を前記ポンプで汲み上げ前記逆流防止弁を通して他方の水路に排水するように構成されたポンプゲート設備において、前記ゲートの止水板に台板を設け、該台板を介して前記ポンプと前記逆流防止弁を組合わせたことを特徴とする。
【０００８】
請求項２に記載の発明は、水路を開閉するゲートにポンプ及び逆流防止弁を設け、該ゲートで閉じた一方の水路の水を前記ポンプで汲み上げ前記逆流防止弁を通して他方の水路に排水するように構成されたポンプゲート設備において、前記ゲートの止水板に台板を設け、該台板に前記ポンプ及び逆流防止弁をそれぞれ異なった取り合い位置に個別に脱着自在に取付けたことを特徴とする。
【発明の効果】
【０００９】
請求項１に記載の発明によれば、ゲートの止水板に台板を設け、該台板を介してポンプと逆流防止弁を組合わせたので、ポンプとゲート及び逆流防止弁を別工場（又はメーカ）で製作した場合、組合せ試験のため搬送、組立て労力や費用を低減することができる。
【００１０】
請求項２に記載の発明によれば、ゲートの止水板に台板を設け、該台板にポンプ及び逆流防止弁をそれぞれ異なった取り合い位置に個別に脱着自在に取付けたので、例えばポンプが故障し、ゲート内に逆流防止弁を残したままポンプを取り外してメンテナンスすることが可能となり、その場合でもゲートは止水機能を果たすことが可能となる。
【発明を実施するための最良の形態】
【００１１】
以下、本発明の実施の形態例を図面に基いて説明する。
【実施例１】
【００１２】
図１は本発明に係るポンプゲート設備の概略構成を示す側断面図である。図において、１は河川（本流）に流れ込む支流に設けられた水路、２は該水路１を開閉するゲート、４は横軸ポンプ、５は逆流防止弁である。ゲート２は止水板であるスキンプレート３を具備し、該スキンプレート３に台板１０が取付ボルト等の台板取付部材６で取付けられている。台板１０には、横軸ポンプ４の吐出口（図示せず）及び逆流防止弁５の流入口に連通する穴が設けられている。
【００１３】
横軸ポンプ４の吐出口フランジ４ａはボルト等のポンプ取付部材８で台板１０に着脱自在に取付けられ、逆流防止弁５の流入口フランジ５ａがボルト等の逆流防止弁取付部材７で台板１０に着脱自在に取付けられている。ポンプ取付部材８の台板１０への取付け位置と逆流防止弁取付部材７はそれぞれ台板１０への取付け位置は互いに異なった位置に位置し、横軸ポンプ４の及び逆流防止弁５は個別に台板１０に取付けることができるようになっている。また、９はゲート２と横軸ポンプ４及び逆流防止弁５の組立体を上下方向（矢印Ａ方向）に移動させるためのワイヤロープ又はラック棒等の開閉装置である。
【００１４】
河川（本流）が増水し、水路１を通って支流に流れ込む（逆流する）ような場合、上記ゲート２を下降させ水路１と閉じる。この状態で、支流から水路１のポンプ４側に流入する水を横軸ポンプ４で汲み揚げ逆流防止弁５を通して反ポンプ側の水路１、即ち河川側に排水する。
【００１５】
上記のように、ゲート２の止水板であるスキンプレート３に台板１０を設け、該台板１０介して横軸ポンプ４と逆流防止弁５を組合わせることにより、横軸ポンプ４とゲート２及び逆流防止弁５を別工場（又はメーカ）で製作した場合でも、組合せ試験のため予め横軸ポンプ４やゲート２や逆流防止弁５をお互いの工場に出荷する必要がなく、輸送費用や労力を低減することができる。
【００１６】
また、台板１０に横軸ポンプ４及び逆流防止弁５をそれぞれ異なった取り合い位置に個別にポンプ取付部材８及び逆流防止弁取付部材７で取付けることができるようになっているため、例えば横軸ポンプ４が故障し、台板１０に逆流防止弁５を残したままポンプ４を取り外してメンテナンスすることが可能となり、その場合でも逆流防止弁５は逆流防止機能を発揮できるからゲート２は止水機能を果たすことが可能となる。従来のようにゲート２側にポンプ４を外した部分の穴を塞ぐ仮設板等を取付ける必要がない。また例では、異なった取り合い位置として、異なる高さ位置にしているが、高さ位置は同じにしても、ポンプと弁が別々に取り外せる位置、フランジの円周方向の異なる位置等で取り合わせても良い。
【実施例２】
【００１７】
図２は本発明に係るポンプゲート設備の他の概略構成を示す側断面図である。図２において、図１と同一符号を付した部分は同一又は相当部分を示すので、詳細な説明は省略する。なお、他の図面において同様とする。図２のポンプゲート設備が、図１のポンプゲート設備と異なる点は、ポンプに図１では横軸ポンプ４を用いたが、図２では立軸ポンプ１１を用いた点である。立軸ポンプ１１の吐出口フランジ１１ａをポンプ取付部材８を介して台板１０に着脱自在に取付けている。
【００１８】
ポンプゲート設備をこのような構成としても、図１のポンプゲート設備と同様、組合せ試験のため予め立軸ポンプ１１やゲート２や逆流防止弁５をお互いの工場に出荷する必要がなく、輸送費用や労力を低減することができる。また、台板１０に立軸ポンプ１１及び逆流防止弁５をそれぞれ異なった取り合い位置に個別にポンプ取付部材８及び逆流防止弁取付部材７で取付けることができるようになっているため、例えば立軸ポンプ１１が故障し、台板１０に逆流防止弁５を残したままポンプ４を取り外してメンテナンスすることが可能となり、その場合でも逆流防止弁５は逆流防止機能を発揮できるからゲート２は止水機能を果たすことは、図１のポンプゲート設備と同様である。
【実施例３】
【００１９】
図３は本発明に係るポンプゲート設備の概略構成を示す平断面図である。図示するように、本ポンプゲート設備は、複数台（図では２台）横軸ポンプ４、４をポンプ取付部材８を介して台板１０に着脱自在に取付け、それに対応して複数台（図では２台）を逆流防止弁取付部材７で台板１０に着脱自在に取付けている。このように、複数台の横軸ポンプ４及び逆流防止弁５を台板１０に着脱自在に取付けた場合も、その作用効果は図１の場合と同様である。なお、図３において、１２はゲート２の上下動を案内する案内部材である。また、図２に示すような立軸ポンプ１１を台板１０に着脱自在に取付け、それに対応して複数台を逆流防止弁５を着脱自在に設けても良いことは当然である。
【００２０】
以上本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００２１】
【図１】本発明に係るポンプゲート設備の概略構成を示す側断面図である。（実施例１）
【図２】本発明に係るポンプゲート設備の概略構成を示す側断面図である。（実施例２）
【図３】本発明に係るポンプゲート設備の概略構成を示す平断面図である。（実施例２）
【符号の説明】
【００２２】
１      水路
２      ゲート
３      スキンプレート
４      横軸ポンプ
５      逆流防止弁
６      台板取付部材
７      逆流防止弁取付部材
８      ポンプ取付部材
９      ロープ
１０    台板
１１    立軸ポンプ
１２    案内部材
【図１】
2006002521.tif 000003
【図２】
2006002521.tif 000004
【図３】
2006002521.tif 000005